(57)【要約】      （修正有）【課題】ロールペーパーを任意の長さに引出し、片手で且つ簡単にワンタッチでロールペーパーを切断できると共に次に使用する人が容易にペーパーの先端を簡単に且つ清潔に取出すことができ、且つミシン目を気にしないでもペーパーの切断が確実に行えるロールペーパー用ホルダーを提供する。【解決手段】少なくとも、ホルダー本体１の前側に繰出ローラー３を配設し、ロールペーパー９の先端がロール側から分離されて繰出ローラー３に案内する固定案内板４をホルダー本体１に固定し、繰出ローラー３の端部に繰出方向のみに回転されるツマミ５を設け、蓋体２の上面に蓋固定部材６を配設させた構造とする。また前記ホルダー本体１の右側面１１にロールペーパー９が横方向から挿入可能な逃げ部１３を形成させると良い。【選択図】図１
0003146221.tif 000002
【実用新案登録請求の範囲】
【請求項１】
略コの字状のホルダー本体（１）の上部に蓋体（２）が軸支されたロールペーパー用ホルダーに於いて少なくとも、前記ホルダー本体（１）の前側に繰出ローラー(３)を配設し、ロールペーパー（９）の先端（91）がロール側から分離されて前記繰出ローラー(３)に案内する固定案内板(４)を、前記ロールペーパー（９）の上部で且つ前記ホルダー本体（１）に固定し、前記繰出ローラー(３)の端部に、繰出方向のみに回転されるツマミ（５）を設け、前記蓋体（２）が前記ホルダー本体（１）に固定されるための蓋固定部材（６）を、前記蓋体（２）の上面に配設させたことを特徴とするロールペーパー用ホルダー。
【請求項２】
前記ホルダー本体（１）の右側面（11）に、前記ロールペーパー（９）を横方向から挿入可能な逃げ部（13）が形成された請求項１記載のロールペーパー用ホルダー。
【請求項３】
前記蓋固定部材（６）が、前記蓋体（２）の上面両側に配設した軸受（61）と、前記蓋体（２）の上面中央に配設した溝付軸受（62）と、該溝付軸受（62）と前記軸受（61）とで軸支される弾力性を有した作動杆（63）と、該作動杆（63）の中央がコの字状に折曲されると共に前記溝付軸受（62）の溝（62a）に沿って移動することよって、前記作動杆（63）の両端を前記軸受（61）から出入可能とするための操作部（64）と、前記軸受（61）から出た前記作動杆（63）が挿入されるために前記ホルダー本体（１）の上部に穿設した固定用穴（65）とから少なくとも成された請求項１記載のロールペーパー用ホルダー。
【請求項４】
前記ツマミ（５）には回転規制部材（７）が設けられており、該回転規制部材（７）が、前記繰出ローラー(３)の端部に装着した歯車（71）と、該歯車（71）に係止する揺動可能な爪（72）と、該爪（72）の端部を軸支する軸（73）と、その軸（73）付近に固定したピン（74）と、該ピン（74）と爪（72）に引掛けて該爪（72）を付勢させるバネ（75）とから成された請求項１記載のロールペーパー用ホルダー。
【考案の詳細な説明】
【技術分野】
【０００１】
本考案はロールペーパーを任意の長さに引出し、片手で且つ簡単にワンタッチでロールペーパーを切断できるロールペーパー用ホルダーに関する。
【背景技術】
【０００２】
一般にロールペーパーを切断する際、先端が刃部になっている蓋体では、その上部を片手で押えると共に他方の手でペーパーを摘んで前記刃部に押接させることによって、切断するので、ペーパーの切断のためには両手を必要とする上に、ペーパーの切取り端末が刃部に隠れて見えにくいものであった。この場合、次の人が使用する時には蓋体を持上げながら他方の手の指や爪などで、ペーパーの先端を探り出し、その後、蓋体を下ろしてから必要な長さ分を引出すか或いは両手で巻取り、更に蓋体を片手で押えながら他方の手でペーパーを切断しているのが現状であり、次の人が使用する時にペーパーを引出すのに不便であり、特に片手が不自由な人にはことさら不便であった。一方、次の人のために三角折りしてペーパーの先端が分り易く心掛けている人もいるが、次に使用する人が潔癖症である場合、用を達した後、手を洗わずにそのまま三角折りしたのではないかという心理から、この三角折りを嫌がる傾向にある。更に濡れた手や汚れた手でペーパーを引出すと、ロールペーパーの内部まで水や汚れが滲み込み、次に使用する人に不潔感を与える場合もあった。
【０００３】
しかも、近年に於いてはペーパーの質がソフトになり、エンボス加工されたものが多くなっているため、切断時にペーパーの先端が蓋体に押えられて、ペーパー同士が密着される場合が多く、切断後のペーパーの先端を簡単に取出せない場合も多くあった。またロールペーパーにミシン目があるものも多くあるが、ミシン目が有効に使われていないのが現状である。特に視力が弱い高齢者や障害者などには、ミシン目が分りにくく、活用できないのが現状である。
【０００４】
このため、ペーパーの先端を見つけ易くしたものとして、蓋体の上面に設けた溝からペーパーの先端をその上面に引出し、上面に備えたノコ刃（切刃）で切断する実公昭５３−２１３１８号が提案されている。またロールペーパーの繰出しを迅速で容易に行えるものとして、実公昭５４−２２１２号が提案されている。これは小ローラーをカバーの表裏面に大きく突出させると共に、巻紙筒面に略々垂直に設けた長孔軸孔部に同小ローラーを軸支したものであり、この小ローラーを廻して紙端（ペーパーの先端）を引出すことが出来るものであり、ペーパーの先端がカバー（蓋体）の前縁内にあっても指先の腹で小ローラーを操るだけで、小ローラーにより円滑にペーパーの先端を引出す（繰出す）ことが出来る利点があるものであった。更にロールペーパーの容器中に切断用具を兼備して、巻紙（ロールペーパー）の紙片を引張ると、それに連動してロールペーパーを定寸法切断する巻紙用具が実公昭５５−４６４８０号として提案されている。
【０００５】
しかしながら実公昭５３−２１３１８号は、上面に切刃が突設されているため危険であると共に、蓋体の上面からペーパーの先端が露出されているので、ペーパーの先端部にゴミや塵が付着し易く不衛生なものとなり易かった。また実公昭５４−２２１２号は、ペーパーの先端部で切断する場合には必ず両手が必要であり、且つ、小ローラーを廻してペーパーの先端を繰出す場合、ペーパーの先端が蓋体の前縁よりも後方にあると、ペーパーの先端が前縁の裏側に当ってスムーズに繰出されなくなる恐れがあった。更に実公昭５５−４６４８０号は、ピニオンや大歯車の歯数比を変えて切取り寸法を変更することができるが、一度セットすると、定寸法で自動切断されてしまうため、ペーパーの使用量が人によって大きな差がある最近の人に於いては、それらの人に対応できないのが現状である。又、大歯車に係合細孔の加工が必要であるため、製作が面倒でコスト高になり易かった。
【特許文献１】実公昭５３−２１３１８号公報
【特許文献２】実公昭５４−２２１２号公報
【特許文献３】実公昭５５−４６４８０号公報
【考案の開示】
【考案が解決しようとする課題】
【０００６】
本考案はロールペーパーを任意の長さに引出し、片手で且つ簡単にワンタッチでロールペーパーを切断できると共に次に使用する人が容易にペーパーの先端を簡単に且つ清潔に取出すことが出来るロールペーパー用ホルダーを提供することを目的とする。
【０００７】
本考案の他の目的は、ペーパーに触れることなく、ツマミを回すだけの簡単な操作で次の人のために、ペーパーの先端を容易に繰出すことができ、ミシン目を気にしないでもペーパーの切断が確実に行えるものとなり、福祉や介護などの施設、高齢者や視力の弱い人、片手が不自由な身体障害者等にも極めて使い易く、重宝なものとなるロールペーパー用ホルダーを提供するにある。
【課題を解決するための手段】
【０００８】
本考案は上記問題点を解消するために成されたものであり、つまり、少なくとも、ホルダー本体の前側に繰出ローラーを配設し、ロールペーパーの先端がロール側から分離されて繰出ローラーに案内する固定案内板をホルダー本体に固定し、繰出ローラーの端部に繰出方向のみに回転されるツマミを設け、蓋体の上面に蓋固定部材を配設させた構造とする。また前記ホルダー本体の右側面にロールペーパーが横方向から挿入可能な逃げ部を形成させると良く、蓋固定部材として、蓋体の上面両側に配設した軸受と、蓋体の上面中央に配設した溝付軸受と、該溝付軸受と軸受とで軸支される弾力性を有した作動杆と、該作動杆の中央がコの字状に折曲されると共に作動杆の両端を軸受から出入可能とするための操作部と、軸受から出た作動杆が挿入されるためにホルダー本体の上部に穿設した固定用穴とから少なくとも成されたものとしても良い。又、前記ツマミには回転規制部材が設けられており、該回転規制部材として、繰出ローラーの端部に装着した歯車と、該歯車に係止する揺動可能な爪と、該爪の端部を軸支する軸と、その軸付近に固定したピンと、該ピンと爪に引掛けて付勢させるバネとから成されたものとするのが好ましい。
【考案の効果】
【０００９】
請求項１のように略コの字状のホルダー本体（１）の上部に蓋体（２）が軸支されたロールペーパー用ホルダーに於いて少なくとも、ホルダー本体（１）の前側に繰出ローラー(３)を配設し、ロールペーパー（９）の先端（91）がロール側から分離されて繰出ローラー(３)に案内する固定案内板(４)を、ロールペーパー（９）の上部で且つホルダー本体（１）に固定し、繰出ローラー(３)の端部に、繰出方向のみに回転されるツマミ（５）を設け、蓋体（２）がホルダー本体（１）に固定されるための蓋固定部材（６）を、蓋体（２）の上面に配設させたことにより、ロールペーパー（９）を任意の長さに容易に引出すことができ、片手で且つ簡単にワンタッチでロールペーパー（９）を切断できると共に次に使用する人が容易にペーパーの先端（91）を簡単に且つ清潔に取出すことが出来るものとなる。この時、ペーパーの先端（91）に触れることなく、ツマミ（５）を回すだけの簡単な操作で次の人のために、ペーパーの先端（91）を繰出しておくこともでき、ミシン目を気にしないでもロールペーパー（９）の切断が確実に行えるものとなる。このため、本考案品は福祉や介護などの施設、高齢者や視力の弱い人、片手が不自由な身体障害者等にも極めて使い易く、重宝なものとなる。
【００１０】
請求項２のようにホルダー本体（１）の右側面（11）に、ロールペーパー（９）が横方向から挿入可能な逃げ部（13）を形成させることにより、ロールペーパー（９）の交換やその装着が極めて簡単で且つ素早く行えるものとなる。またロールペーパー（９）を装着する時に、横方向から手を添えることが出来るため、ロールペーパー（９）の装着がより簡単に行えるものとなる。
【００１１】
請求項３に示すように蓋固定部材（６）として、蓋体（２）の上面両側に配設した軸受（61）と、蓋体（２）の上面中央に配設した溝付軸受（62）と、該溝付軸受（62）と軸受（61）とで軸支される弾力性を有した作動杆（63）と、該作動杆（63）の中央がコの字状に折曲されると共に溝付軸受（62）の溝（62a）に沿って移動することによって、作動杆（63）の両端を軸受（61）から出入可能とするための操作部（64）と、軸受（61）から出た作動杆（63）が挿入されるためにホルダー本体（１）の上部に穿設した固定用穴（65）とから少なくとも成されるものとすることにより、ツマミ（５）が回転されてロールペーパー（９）を繰出す際、ペーパーの先端（91）が確実に繰出されると共にその切断が片手でも確実に行われるものとなる。
【００１２】
請求項４に示すようにツマミ（５）には回転規制部材（７）が設けられており、該回転規制部材（７）として、繰出ローラー(３)の端部に装着した歯車（71）と、該歯車（71）に係止する揺動可能な爪（72）と、該爪（72）の端部を軸支する軸（73）と、その軸（73）付近に固定したピン（74）と、該ピン（74）と爪（72）に引掛けて該爪（72）を付勢させるバネ（75）とから成されるものとすることにより、ツマミ（５）を間違えて逆回転させようとしても回らないので、誰にでもペーパーの先端（91）を繰出すことが確実にでき、ロールペーパー（９）を使用する際、ペーパーの先端（91）が簡単に見つけることができるものとなる。又、手の不自由な人であっても、片手でツマミ（５）を回すだけで、ペーパーの先端（91）が手に触れずに取出せ、衛生的に好ましいものとなる。しかも予めツマミ（５）を回してペーパーの先端（91）が手で摘める長さだけ出しておくことは、極めて簡単なものとなるため、次に使用する人が利用し易いものとなる。
【考案を実施するための最良の形態】
【００１３】
図１は本考案の実施形態を示す図であり、これに基づき説明する。(１)は略コの字状のホルダー本体であり、該ホルダー本体（１）は合成樹脂製や金属製のものを用いると良い。又、前記ホルダー本体（１）の右側面（11）に、ロールペーパー（９）が横方向から挿入可能な逃げ部（13）を形成させたものとしても良い。尚、（12）は左側面である。（２）はホルダー本体（１）の上部に軸支された合成樹脂製や金属製の蓋体であり、蓋体（２）の先端には刃部（21）が形成されている。（３）はホルダー本体（１）の前側で且つ上部に配設した繰出ローラーであり、該繰出ローラー(３)の表面には図示しない滑止部材を貼着し、或いは繰出ローラー(３)の表面に図示しない溝や凹凸部を設けたものとするのが好ましい。（４）はロールペーパー（９）の先端（91）がロール側から分離されて繰出ローラー(３)に案内する曲面を有した固定案内板であり、該固定案内板(４)はロールペーパー（９）の上部で且つホルダー本体（１）に固定されている。また固定案内板(４)の材質としてはホルダー本体（１）の材質と同一のものを用いると良い。（５）は繰出方向のみに回転されるツマミであり、該ツマミ（５）は図２に示すように繰出ローラー(３)の端部に固定されている。又、この材質としては合成樹脂製品を用いると良いが、これに限定されるものではない。
【００１４】
（６）は蓋体（２）の上面に配設させた蓋固定部材であり、該蓋固定部材（６）は蓋体（２）がホルダー本体（１）に固定されるためのものである。この蓋固定部材（６）としては、蓋体（２）の上面両側に配設した軸受（61）と、蓋体（２）の上面中央に配設した溝付軸受（62）と、該溝付軸受（62）と軸受（61）とで軸支される弾力性を有した長尺な１本の金属線の作動杆（63）と、該作動杆（63）の中央がコの字状に折曲されると共に溝付軸受（62）の溝（62a）に沿って移動することによって、作動杆（63）の両端を軸受（61）から出入可能とするための操作部（64）と、軸受（61）から出た作動杆（63）が挿入されるためにホルダー本体（１）の上部に穿設した固定用穴（65）と、軸受（61）と溝付軸受（62）の間に配置したカラー（66）とがある（図２、図３参照）。前記軸受（61）と溝付軸受（62）は同芯上に取付けられており、前記溝付軸受（62）の溝（62a）は、図２や図３に示すようにテーパーが付けられている。また前記操作部（64）の中央には、それを操作し易くするために球状の握り（64a）が設けられている。尚、前記蓋固定部材（６）は上記構造に限定されるものではない。又、前記軸受（61）から出入可能とは、本考案に於いて、作動杆（63）の両端が軸受（61）から水平移動して固定用穴（65）に挿入可能な状態になることを指すものとする。
【００１５】
（７）はツマミ（５）が繰出方向のみに回転されるための回転規制部材であり、該回転規制部材（７）は図４に示すように、繰出ローラー(３)の端部で且つツマミ（５）の端部に装着して固定する歯車（71）と、該歯車（71）に係止する揺動可能な爪（72）と、該爪（72）の端部を軸支する軸（73）と、その軸（73）付近に固定したピン（74）と、該ピン（74）と爪（72）に両端を引掛けて該爪（72）に弾性力が付与されるためのバネ（75）とから成されている。前記爪（72）は図４の図中の矢印のように上方に持上げられる時には、持上げられて係止状態が解除されるが、下方には行かないように取付けられている。尚、前記回転規制部材（７）は上記構造に限定されるものではない。（８）はロールペーパー（９）のロール芯を支持するためのロール芯受軸であり、該ロール芯受軸（８）は、右側面（11）に逃げ部（13）がないホルダー本体（１）が使用される場合には、一般に用いられる軸方向に伸縮可能なものなどを用いると良い。
【００１６】
次に本考案にロールペーパー（９）を装着する方法について説明する。先ず始め蓋体（２）を持上げて開き、右側面（11）の逃げ部（13）からロールペーパー（９）をロール芯受軸（８）に挿入する。この時、右側面（11）に逃げ部（13）がない場合は、一般に行われている方法でロールペーパー（９）をロール芯受軸（８）に挿入すれば良い。その後、ロールペーパー（９）の先端（91）を固定案内板（４）の上に乗せ、更に繰出ローラー（３）の上を通過させて前へ先端（91）を引出す。次に蓋体（２）を下げ、蓋体（２）に設けた蓋固定部材（６）の操作部（64）を後側に回転させて倒すことにより、蓋体（２）はホルダー本体（１）に固定され、ロールペーパー（９）の装着は完了する［図５（ａ）参照］。
【００１７】
前記蓋固定部材（６）によって蓋体（２）がホルダー本体（１）に固定される作用について説明する。蓋体（２）が下げられた後、球状の握り（64a）を指で摘み、図５（ａ）の図中の矢印のように左側へ回転させて操作部（64）を後側に回転させて倒すと、溝付軸受（62）の溝（62a）が外側へ開く状態のテーパー状になっているため、作動杆（63）の中央側が溝（62a）に沿って摺動すると、作動杆（63）の中央側は図２のように広がる。この結果、作動杆（63）全体は外側へ移動されるため、作動杆（63）の両端部は、ホルダー本体（１）に穿設した固定用穴（65）に挿入されて、蓋体（２）はホルダー本体（１）に固定されるのである。この時、ロールペーパー（９）は手で引張ると前側へ出る状態である。前記蓋固定部材（６）を解除する場合は、上記要領で球状の握り（64a）を指で摘まみ、操作部（64）を右側へ回転させて前側に倒すことにより、作動杆（63）の中央側は図２の図中の２点鎖線のように縮まり、作動杆（63）全体は内側へ移動されて、該作動杆（63）の両端部は固定用穴（65）から外れるのである。
【００１８】
図５に基づいてロールペーパー（９）の先端（91）が繰出されると共に切断される場合について説明する。先ずツマミ（５）を回転させることにより、繰出ローラー(３)が図５（ｂ）の図中矢印方向に回転され、ペーパーの先端（91）が一点鎖線の矢印のように前に繰出されるのである。そして指で摘める程度の長さまで前記先端（91）を繰出す。この時、ロールペーパー（９）のロール側と先端（91）側は固定案内板（４）によって分離し、且つ、蓋体（２）の重さがペーパーの先端（91）側に直接加わっているので、その先端（91）は確実に繰出されるのである。またペーパーの先端（91）が予め指で摘める程度まで繰出されている場合は次の動作に移れば良い。次に前記先端（91）を指で摘み、使用する長さ分を引出すか或いは手に巻取る[図５（ｃ）参照]。そして前記先端（91）部を片手で摘んだ状態で、刃部（21）に対して切断するように当てれば、片手でも簡単にペーパーの先端（91）が切断されるのである。この切断時、先端（91）部を刃部（21）に対して持上げても、蓋体（２）は蓋固定部材（６）によってホルダー本体（１）と固定すると共に繰出ローラー(３)は逆回転しないため、刃部（21）で確実に切断されるのである。更に次に使用する人のためにペーパーの先端（91）を上記要領で繰出しておけば、一目で先端（91）が確認できるものとなる[図５（ｄ）参照]。このようにしてロールペーパー（９）を使用して行けば良い。
【図面の簡単な説明】
【００１９】
【図１】本考案の実施形態を示す斜視図である。
【図２】本実施形態の回転規制部材と蓋固定部材の要部を示す説明図である。
【図３】本実施形態の蓋固定部材を上方から見た状態を示す説明図である。
【図４】本実施形態の回転規制部材を示す説明図である。
【図５】本考案の作用を示す説明図である。
【符号の説明】
【００２０】
１  ホルダー本体
11  右側面
13  逃げ部
２  蓋体
３  繰出ローラー
４  固定案内板
５  ツマミ
６  蓋固定部材
61  軸受
62  溝付軸受
62a  溝
63  作動杆 
64  操作部
65  固定用穴
７  回転規制部材
71  歯車
72  爪
73  軸
74  ピン
75  バネ
９  ロールペーパー
91  先端
【図１】
0003146221.tif 000003
【図２】
0003146221.tif 000004
【図３】
0003146221.tif 000005
【図４】
0003146221.tif 000006
【図５】
0003146221.tif 000007